(57)【要約】【課題】オペレータハンドル仕様とカムラッチ仕様の両方に兼用することのできる枠体を有した開閉窓を提供する。【解決手段】金属枠の室内側に樹脂枠を配設してなる枠体１内に障子２を開閉自在に納めてなり、枠体１を構成する下枠２０は室内側に向かって張り出す張出部２５を有し、下枠２０を構成する金属下枠２１は張出部２５の上面を構成する上面部２５ｃを備え、上面部２５ｃは平面状に形成されて、その上面に対し鉛直方向に立ち上がる開閉装置取付片５０を取付自在としてなる。【選択図】図６
2008280793.tif 000002
【特許請求の範囲】
【請求項１】
金属枠の室内側に樹脂枠を配設してなる枠体内に障子を開閉自在に納めてなる開閉窓において、
前記枠体を構成する下枠は室内側に向かって張り出す張出部を有し、前記下枠を構成する金属下枠は前記張出部の上面を構成する上面部を備え、該上面部は平面状に形成されて、その上面に対し鉛直方向に立ち上がる開閉装置取付片を取付自在としたことを特徴とする開閉窓。
【請求項２】
前記張出部の上面部は、前記下枠を構成する樹脂下枠により被覆されることを特徴とする請求項１記載の開閉窓。
【請求項３】
前記開閉装置取付片は前記上面部を被覆する樹脂下枠に当接する固定部と、該固定部から鉛直方向に延びる取付部とからなり、前記固定部は前記上面部に対してネジ止め固定されることを特徴とする請求項２記載の開閉窓。
【請求項４】
前記金属下枠は前記障子の室内面より室内側に配置される垂直面部を備え、前記張出部は、前記垂直面部から室内側に向かって延びる下面部と、該下面部の室内端部から鉛直方向に延びる室内面部とを有し、前記上面部は前記室内面部の上端から室内側に向かって延びるように形成されると共に、その先端は前記垂直面と略同じ室内外方向位置まで延びるように形成されることを特徴とする請求項１〜３のいずれか１項に記載の開閉窓。
【発明の詳細な説明】
【技術分野】
【０００１】
本発明は、金属枠の室内側に樹脂枠を配設してなる枠体内に障子を開閉自在に納めてなる開閉窓に関し、特に開閉手段としてオペレータハンドルとカムラッチとを選択的に取付けることのできる開閉窓に関する。
【背景技術】
【０００２】
従来、建物開口部に取付けられる枠体内に障子を開閉自在に納めてなる開閉窓が知られている。開閉窓としては、縦辷り出し窓や横辷り出し窓、平行辷り出し窓、オーニング窓といったものがあり、これら開閉窓には、障子を開閉するための開閉装置が設けられる。開閉装置としては、枠体に設けられ回動操作可能なオペレータハンドルを有するものと、障子に設けられ枠体に対し係脱自在な操作体によって直接手で開閉させるものとがある。以後、オペレータハンドルを有する開閉窓をオペレータハンドル仕様と、操作体を有する開閉窓をカムラッチ仕様と、それぞれ称する。開閉窓のうち、カムラッチ仕様が採用されたものとしては、例えば特許文献１に挙げるようなものがある。
【特許文献１】特開２００２−１９４９３８号公報
【発明の開示】
【発明が解決しようとする課題】
【０００３】
従来の開閉窓は、オペレータハンドル仕様とカムラッチ仕様では、枠体の構造が異なっている。オペレータハンドル仕様では、開閉装置は枠体に取付けられるため、枠体にはその内周面から垂直方向に立ち上がった取付部が形成されるのに対し、カムラッチ仕様では、開閉装置となる操作体は障子に取付けらられるため、枠体に取付部は形成されていない。
【０００４】
また、オペレータハンドル仕様では、障子を直接操作して開閉するものではないので、障子の室内側に設けられる網戸としては、固定式のものが一般的に用いられる。一方、カムラッチ仕様では、障子を操作体により直接操作するため、網戸としては、巻き取り自在なロール式のものが一般的に用いられる。ここで、網戸をロール式から固定式にしたい場合や、開閉操作をより手元側に近い位置で行いたい場合など、特にカムラッチ仕様からオペレータハンドル仕様に変更する需要があった。しかし、前述のようにオペレータハンドル仕様とカムラッチ仕様では枠体の構造が異なっているため、これらを相互に変更することは困難であった。また、同じ種類の開閉窓であっても、オペレータハンドル仕様とカムラッチ仕様とで枠体の構造が異なるため、部品種類が多くなることによるコストアップにも繋がっていた。
【０００５】
本発明は、上記課題を解決すべくなされたものであり、オペレータハンドル仕様とカムラッチ仕様の両方に兼用することのできる枠体を有した開閉窓を提供することを目的とする。
【課題を解決するための手段】
【０００６】
上記課題を解決するため、本発明に係る開閉窓は、金属枠の室内側に樹脂枠を配設してなる枠体内に障子を開閉自在に納めてなる開閉窓において、
前記枠体を構成する下枠は室内側に向かって張り出す張出部を有し、前記下枠を構成する金属下枠は前記張出部の上面を構成する上面部を備え、該上面部は平面状に形成されて、その上面に対し鉛直方向に立ち上がる開閉装置取付片を取付自在としたことを特徴として構成されている。
【０００７】
また、本発明に係る開閉窓は、前記張出部の上面部は、前記下枠を構成する樹脂下枠により被覆されることを特徴として構成されている。
【０００８】
さらに、本発明に係る開閉窓は、前記開閉装置取付片は前記上面部を被覆する樹脂下枠に当接する固定部と、該固定部から鉛直方向に延びる取付部とからなり、前記固定部は前記上面部に対してネジ止め固定されることを特徴として構成されている。
【０００９】
さらにまた、本発明に係る開閉窓は、前記金属下枠は前記障子の室内面より室内側に配置される垂直面部を備え、前記張出部は、前記垂直面部から室内側に向かって延びる下面部と、該下面部の室内端部から鉛直方向に延びる室内面部とを有し、前記上面部は前記室内面部の上端から室内側に向かって延びるように形成されると共に、その先端は前記垂直面と略同じ室内外方向位置まで延びるように形成されることを特徴として構成されている。
【発明の効果】
【００１０】
本発明に係る開閉窓によれば、枠体を構成する下枠は室内側に向かって張り出す張出部を有し、下枠を構成する金属下枠は張出部の上面を構成する上面部を備え、上面部は平面状に形成されて、その上面に対し鉛直方向に立ち上がる開閉装置取付片を取付自在としたことにより、同じ構造の枠体をオペレータハンドル仕様とカムラッチ仕様とに用いることができ、容易にこれらの仕様を相互に変更することができ、また部品の共用化によりコストダウンを図ることができる。
【００１１】
また、本発明に係る開閉窓によれば、張出部の上面部は、下枠を構成する樹脂下枠により被覆されることにより、内観を良好にすることができると共に、断熱性を確保することができる。
【００１２】
さらに、本発明に係る開閉窓によれば、開閉装置取付片は上面部を被覆する樹脂下枠に当接する固定部と、固定部から鉛直方向に延びる取付部とからなり、固定部は上面部に対してネジ止め固定されることにより、開閉装置取付片を下枠に対して簡易に取付固定することができる。
【００１３】
さらにまた、本発明に係る開閉窓によれば、張出部は、垂直面部から室内側に向かって延びる下面部と、下面部の室内端部から鉛直方向に延びる室内面部とを有し、上面部は室内面部の上端から室内側に向かって延びるように形成されると共に、その先端は垂直面と略同じ室内外方向位置まで延びるように形成されることにより、開閉装置取付片を固定するための面を充分に確保することができ、強固な固定をなすことができる。
【発明を実施するための最良の形態】
【００１４】
本発明の実施形態について、図面に沿って詳細に説明する。まずカムラッチ仕様を採用した開閉窓について説明する。図１にはカムラッチ仕様における開閉窓の縦断面図を、図２にはカムラッチ仕様における開閉窓の横断面図を、それぞれ示している。これら各図に示すように、本実施形態における開閉窓は、建物開口部に取付けられる枠体１内に支持アーム３を介して障子２を開閉自在に納めてなるものである。障子２は、図２における右側位置に操作体４を備えている。また、障子２の全体が支持アーム３に支持されており、操作体４を備えた側が戸先側、それと反対側が吊元側となっている。すなわち、本実施形態の開閉窓は、操作体４を室外側に向かって押すと、戸先側が室外側に向かって開くようにされた縦辷り出し窓として構成されている。また、枠体１の室内側には、引き出し自在なロール式網戸６０が設けられ、障子２を開いた際に引き出して窓の開口部を網戸で覆うことができるようにされている。
【００１５】
枠体１は、上枠１０と下枠２０及び左右の縦枠３０、３０を方形状に枠組みしてなるものである。これら枠材は、金属材に対しその室内側露出部分を覆う樹脂材が配設されてなる複合材によって構成されている。上枠１０は、金属材として設けられる金属上枠１１と、樹脂材として設けられる樹脂上枠１２とから構成されている。また同様に下枠２０は金属下枠２１と樹脂下枠２２とから、縦枠３０は金属縦枠３１と樹脂縦枠３２とから、それぞれ構成されている。
【００１６】
障子２は、上框４０と下框４１及び左右の縦框４２、４２を方形状に框組みしてなる框体７内にガラス体８を納めてなるものである。框体７を構成する框材は、枠材と同様に金属材に対しその室内側露出部分を覆う樹脂材が配設されてなる複合材によって構成されている。上框４０は金属上框４０ａと樹脂上框４０ｂとから、下框４１は金属下框４１ａと樹脂下框４１ｂとから、縦框４２は金属縦框４２ａと樹脂縦框４２ｂとから、それぞれ構成されている。
【００１７】
一方の縦框４２の室内面に設けられる操作体４は、図２に示すように、縦框４２に対して固定される基部４ａと、基部４ａに対して回動自在なハンドル部４ｂとからなり、ハンドル部４ｂはさらに操作者が手で持って操作するための持手部４ｃと、ハンドル部４ｂの回動に伴って縦枠３０に対して係脱自在な係合部４ｄとからなっている。図２の状態では、係合部４ｄは縦枠３０に対して係合しており、ハンドル部４ｂを室外側に押しても障子２は開かないようにロックされている。ハンドル部４ｂを回動させ、係合部４ｄを縦枠３０から係合解除させてから、ハンドル部４ｂを室外側に押すことにより、障子２を開くことができる。
【００１８】
次に、下枠２０についてより詳細に説明する。図３には、図１における下枠２０付近の拡大図を示している。この図に示すように、下枠２０を構成する金属下枠２１は、障子２の下辺に対向し、内周面に支持アーム３を備えて枠としての機能を有した断面中空状の障子対向部２３と、障子対向部２３の室内面を構成し、障子対向部２３より外周側及び内周側にそれぞれ突出する垂直面部２４と、垂直面部２４から室内側に張り出した張出部２５とが、一体的に形成されている。
【００１９】
垂直面部２４は、障子２の室内面よりも若干室内側寄りに位置するように形成され、障子対向部２３よりも外周側に突出した部分が、建物躯体に当接し、ビス止め固定される。また、障子対向部２３よりも内周側に突出した部分の先端部には、係合部２４ａが形成されており、樹脂下枠２２を固定することができる。
【００２０】
張出部２５は、垂直面部２４から室内側に向かって突出する下面部２５ａと、下面部２５ａの室内端部から鉛直方向に延びる室内面部２５ｂと、室内面部２５ｂの上端部から室外側に向かって延びる上面部２５ｃとが一体的に形成されて構成されている。また、室内面部２５ｂの上端付近には、樹脂下枠２２を固定するための樹脂枠固定部２５ｄが形成されている。
【００２１】
張出部２５の上面部２５ｃは、平面状となるように形成されており、またその先端は、室内外方向において垂直面部２４と略同じ位置まで延びている。これによって上面部２５ｃは、張出部２５の室内外略全域に渡る上面を構成している。上面部２５ｃは平板状に形成されているので、後述するようにオペレータハンドル取付けのための取付片を固定することができるが、カムラッチ仕様の開閉窓においては、上面部２５ｃには何も取付けられておらず、この領域は単に平面状とされている。
【００２２】
また、上面部２５ｃは樹脂下枠２２によって被覆される。樹脂下枠２２は、張出部２５のうち室内面部２５ｂを被覆する室内面樹脂部２６と、上面部２５ｃを被覆する上面樹脂部２７とからなり、いずれも室内面部２５ｂに形成される樹脂枠固定部２５ｄに固定される。上面樹脂部２７は、上面が平面状に形成されており、これが上面部２５ｃと重合して被覆している。また、上面樹脂部２７の室外端部は、鉛直下方に延びるように形成されており、その先端部が垂直面部２４の上端に形成された係合部２４ａに係合し、固定される。
【００２３】
次に、オペレータハンドル仕様の開閉窓について説明する。図４にはオペレータハンドル仕様における開閉窓の縦断面図を、図５にはオペレータハンドル仕様における開閉窓の横断面図を、それぞれ示している。オペレータハンドル仕様における開閉窓は、縦框４２に操作体４が設けられておらず、その代わりに下枠２０に開閉装置５及びオペレータハンドル６が取付けられている点で、カムラッチ仕様の開閉窓と異なっている。開閉装置５は、リンク機構（図示しない）を介して支持アーム３と連係しており、オペレータハンドル６を回転操作することにより、開閉装置５は支持アーム３を駆動して障子２を開閉させる。また、障子２の室内側に設けられる網戸は、固定式網戸６１であって、常に窓の開口部を網戸で覆った状態となっている。その他の基本的な構成についてはカムラッチ仕様の開閉窓と同様であるため、説明は省略する。
【００２４】
図６には図４における下枠２０付近の拡大図を示している。この図に示すように、金属下枠２１及び樹脂下枠２２には、カムラッチ仕様の場合と同一の部品が用いられる。すなわち、金属下枠２１は障子対向部２３と垂直面部２４及び張出部２５を有している。また、張出部２５には、平面状の上面部２５ｃが形成されており、樹脂下枠２２の上面樹脂部２７によって覆われている。
【００２５】
この上面部２５ｃに対しては、開閉装置取付片５０が固定される。開閉装置取付片５０は、上面部２５ｃから鉛直上方に向かって立ち上がるように設けられ、オペレータハンドル６を備えた開閉装置５を固定するためのものである。また、開閉装置取付片５０は、金属部５１と樹脂カバー材５４とからなり、樹脂カバー材５４は金属部５１の室内面及び上面を覆っている。
【００２６】
開閉装置取付片５０の金属部５１は、断面略Ｌ字状に形成され、上面部２５ｃを被覆する樹脂下枠２２に対して当接する固定部５２と、固定部５２から鉛直方向に延びる取付部５３とからなっている。固定部５２は、樹脂下枠２２を貫通するネジによって、金属下枠２１の上面部２５ｃに対して固定される。これによって充分な取付強度を確保することができる。
【００２７】
開閉装置５は、開閉装置取付片５０の室内面に対して取付固定される。具体的には、開閉装置５の室外面を開閉装置取付片５０の樹脂カバー材５４に当接させた上で、樹脂カバー材５４を貫通するネジによって金属部５１に対して固定する。これによって、開閉装置５を充分な強度で固定することができる。
【００２８】
このように、金属下枠２１に平面状の上面部２５ｃを設け、鉛直方向に立ち上がる開閉装置取付片５０を取付自在としたことにより、カムラッチ仕様とオペレータハンドル仕様の開閉窓とで、同じ構造の下枠２０を用いることができ、したがって既設のカムラッチ仕様の開閉窓を、容易にオペレータハンドル仕様の開閉窓に変更することができる。また、カムラッチ仕様とオペレータハンドル仕様とで、部品を共用化することができるので、コストダウンを図ることができる。
【００２９】
本実施形態では、開閉装置取付片５０を構成する金属部５１は、金属下枠２１と同様にアルミによって形成され、金属下枠２１の長手方向略全長に渡って設けられるが、開閉装置５の取付強度を確保するために設けられるものであるため、開閉装置５が取付けられる位置にのみ設けるようにしてもよい。図７には、開閉装置取付片５０を別の形態とした場合における下枠２０付近の拡大図を示している。この場合、金属部５１の断面形状が略Ｌ字状とされている点は図６の場合と同様であるが、材質は鉄などアルミよりも強度の高いものを用いることができる。また、長手方向には、開閉装置５が設けられる領域にのみ設ける。一方、樹脂カバー材５４は、下枠２０の長手方向略全長に渡って設けられるので、内観は図６の場合と同じとなる。
【００３０】
以上、本発明の実施形態について説明したが、本発明の適用は本実施形態には限られず、その技術的思想の範囲内において様々に適用されうるものである。例えば、本実施形態では、張出部２５の上面部２５ｃは、室内面部２５ｂから室外側に延びるように形成され、垂直面部２４とは離隔しているが、これを垂直面部２４と繋げて張出部２５が断面中空状となるようにしてもよい。
【図面の簡単な説明】
【００３１】
【図１】カムラッチ仕様とした開閉窓の縦断面図である。
【図２】カムラッチ仕様とした開閉窓の横断面図である。
【図３】図１の下枠付近の拡大図である。
【図４】オペレータハンドル仕様とした開閉窓の縦断面図である。
【図５】オペレータハンドル仕様とした開閉窓の横断面図である。
【図６】図４の下枠付近の拡大図である。
【図７】開閉装置取付片を別の形態とした場合における下枠付近の拡大図である。
【符号の説明】
【００３２】
１    枠体
２    障子
３    支持アーム
４    操作体
５    開閉装置
６    オペレータハンドル
１０    上枠
２０    下枠
２１    金属下枠
２２    樹脂下枠
２３    障子対向部
２４    垂直面部
２５    張出部
２５ａ  下面部
２５ｂ  室内面部
２５ｃ  上面部
３０    縦枠
５０    開閉装置取付片
５１    金属部
５２    固定部
５３    取付部
５４    樹脂カバー材
６０    ロール式網戸
６１    固定式網戸
【図１】
2008280793.tif 000003
【図２】
2008280793.tif 000004
【図３】
2008280793.tif 000005
【図４】
2008280793.tif 000006
【図５】
2008280793.tif 000007
【図６】
2008280793.tif 000008
【図７】
2008280793.tif 000009